(57)【要約】【課題】掛け布団に掛け布団カバーを迅速かつ確実に、ずれ動き難い状態で装着できるようにすること。【解決手段】掛け布団２に装着される掛け布団カバー３であって、掛け布団の下面側に配置される矩形シート状のカバー本体４と、カバー本体の長手方向の一端部に設けられ掛け布団の長手方向の一端部が収容される収容部６と、カバー本体に設けられ掛け布団の長手方向の一端部を収容部に収容して掛け布団にカバー本体を装着したときに、カバー本体と掛け布団とがずれ動くのを阻止する滑り止め部１３，１４とを具備する。【選択図】  図２
2020025635.tif 000002
【特許請求の範囲】
【請求項１】
掛け布団に装着される掛け布団カバーであって、
前記掛け布団の下面側に配置される矩形シート状のカバー本体と、
前記カバー本体の長手方向の一端部に設けられ前記掛け布団の長手方向の一端部が収容される収容部と、
前記カバー本体に設けられ前記掛け布団の長手方向の一端部を前記収容部に収容して前記掛け布団に前記カバー本体を装着したときに、前記カバー本体と前記掛け布団とがずれ動くのを阻止する滑り止め部と
を具備したことを特徴とする掛け布団カバー。
【請求項２】
前記滑り止め部は、前記収容部に設けられ前記掛け布団の長手方向の一端部が前記収容部から抜け出るのを阻止する第１の滑り止め部と、前記カバー本体の長手方向の他端部に設けられ前記掛け布団の長手方向の他端部の下面に接触する第２の滑り止め部との２つのうち、少なくともどちらか一方であること特徴とする請求項１記載の掛け布団カバー。
【請求項３】
前記第１の滑り止め部は、前記掛け布団の長手方向の一端部の外周面のほぼ全長に接触するよう設けられていることを特徴とする請求項２記載の掛け布団カバー。
【請求項４】
前記第２の滑り止め部は、前記カバー本体の長手方向の他端部に、前記カバー本体の幅方向に沿って設けられていることを特徴とする請求項２記載の掛け布団カバー。
【請求項５】
前記掛け布団の下側には敷布団が設けられ、前記カバー本体の長手方向の他端部は、前記敷き布団の下面側に織り込んで前記カバー本体が連れ動くのを阻止する折り込み部が設けられていることを特徴とする請求項１記載の掛け布団カバー。
【請求項６】
前記収容部は一端が前記掛け布団の一端部を挿入するための開放部に形成され他端が閉塞部に形成されていて、前記閉塞部の幅方向両端部には前記収容部に収容される前記掛け布団の前記一端部の幅方向の端部を引っ張ることができる開口部が形成されていることを特徴とする請求項１記載の掛け布団カバー。
【請求項７】
前記カバー本体と前記掛け布団の幅方向の端部には、これらの端部を着脱可能に連結する連結手段が設けられていることを特徴とする請求項１記載の掛け布団カバー。
【請求項８】
掛け布団に装着される掛け布団カバーであって、
前記掛け布団の下面側に配置される矩形シート状のカバー本体と、
前記カバー本体の長手方向の一端部と他端部に設けられ前記掛け布団の長手方向の一端部と他端部がそれぞれ収容される袋状の一対の収容部と、
一対の前記収容部の少なくとも一方に設けられ前記掛け布団の長手方向の端部が前記収容部から抜け出るのを阻止する滑り止め部と
を具備したことを特徴とする掛け布団カバー。
【発明の詳細な説明】
【技術分野】
【０００１】
この発明は掛け布団に着脱可能に取付けられる掛け布団カバーに関する。
【背景技術】
【０００２】
通常、布団には掛け布団と敷き布団があり、掛け布団には汚れを防止するために掛け布団カバーを装着して使用するということが行われている。  
【０００３】
従来の掛け布団カバーは、掛け布団とほぼ同じ面積の表カバー体と裏カバー体との周縁部の一辺（側辺）を除く３辺を縫合し、前記一辺にはファスナーを設けて開口部とした袋状に形成されている。そして、前記掛け布団は前記一辺の前記開口部から前記掛け布団カバー内に収納するようにしている。
【０００４】
しかしながら、袋状に縫製された前記掛け布団カバー内に前記掛け布団を収納する場合、掛け布団の四隅部を前記掛け布団カバーの四隅部に合わせないと、前記掛け布団が前記掛け布団カバー内で弛んでしまうということがある。そのため、前記掛け掛け布団カバー内に前記掛け布団を収納する作業が煩雑で、手間が掛かるということがあった。
【０００５】
このような課題を解決するために、特許文献１に示される掛け布団カバーが提案されている。特許文献１に示された掛け布団カバーはシート状の裏カバー体を有する。この裏カバー体の一端部には前記掛け布団の長手方向の一端部を収容する袋部を形成する表カバー体が設けられている。
【０００６】
前記袋部の内部には帯状の係止体が設けられ、この係止体は前記袋部に収容される前記掛け布団の一端部に設けられたループ部に係止させ連結するようにしている。それによって、前記掛け布団の一端部が前記袋部から外れないように保持している。
【０００７】
さらに、前記裏カバー体の側縁には紐体を設け、この紐体は前記掛け布団に設けられたループ部に係止させるようにしている。それによって、前記掛け布団の他端部側が前記裏カバー体からずれないように保持している。
【先行技術文献】
【特許文献】
【０００８】
【特許文献１】実用新案登録３０４７４０２号
【発明の概要】
【発明が解決しようとする課題】
【０００９】
上述したように、前記袋部の内部に帯状の係止体を設け、この係止体を前記袋部に収容される前記掛け布団の一端部に設けられたループ部に係止させたり、前記裏カバー体の側縁に紐体を設け、この紐体を前記掛け布団に設けられたループ部に係止させれば、前記掛け布団に対して前記裏カバー体がずれ動き、前記掛け布団から前記裏カバー体が外れるのを防止することができる。
【００１０】
しかしながら、前記袋部に前記掛け布団の一端部を収容し、前記袋部の内部に設けられた帯状の係止体を、前記掛け布団の一端部に設けられたループ部に係止する作業は従来と同様、煩雑で手間が掛かるということがある。
【００１１】
また、前記裏カバー体の側縁に設けられた紐体を、前記掛け布団に設けられたループ部に係止させる作業も、煩雑で手間が掛かるということがある。  
【００１２】
とくに、多数のベッド装置が設置されるホテルなどでベッドメーキングを行う場合には多大の手間が掛かるということがある。
【００１３】
この発明は、掛け布団カバーを掛け布団に対して簡単に、しかも迅速にずれ動くことがないよう設けることができるようにした掛け布団カバーを提供することにある。
【課題を解決するための手段】
【００１４】
この発明は、掛け布団に装着される掛け布団カバーであって、
前記掛け布団の下面側に配置される矩形シート状のカバー本体と、
前記カバー本体の長手方向の一端部に設けられ前記掛け布団の長手方向の一端部が収容される収容部と、
前記カバー本体に設けられ前記掛け布団の長手方向の一端部を前記収容部に収容して前記掛け布団に前記カバー本体を装着したときに、前記カバー本体と前記掛け布団とがずれ動くのを阻止する滑り止め部と
を具備したことを特徴とする掛け布団カバーにある。
【発明の効果】
【００１５】
この発明によれば、前記カバー本体の長手方向の一端部に設けられた前記収容部に前記掛け布団の長手方向の一端部を収容することで、前記布団カバーを前記滑り止め部によって前記掛け布団にずれ動き難いよう装着することができる。
【００１６】
そのため、煩雑で手間の掛かる作業を必要とせずに、前記カバー本体を前記掛け布団に迅速かつ確実に装着することが可能となる。
【図面の簡単な説明】
【００１７】
【図１】この発明の第１の実施の形態を示す敷布団と、掛け布団カバーが装着された掛け布団の側断面図。
【図２】（ａ）は掛け布団カバーの斜視図、（ｂ）は掛け布団の斜視図、（ｃ）は掛け布団カバーに掛け布団が装着された状態の斜視図。
【図３】開口部が形成されたカバー本体の収容部の一部を示す平面図。
【図４】連結手段としてのホックを説明する掛け布団と掛け布団カバーとの断面図。
【図５】滑り止め部を形成する布地の構成を説明するための拡大図。
【図６】この発明の第２の実施の形態を示す掛け布団カバーの斜視図。
【発明を実施するための形態】
【００１８】
以下、この発明の実施の形態を図面を参照しながら説明する。  
【００１９】
図１乃至図５はこの発明の第１の実施の形態を示し、図１は敷布団１と、この敷き布団１の上面に設けられた、たとえば羽毛布団からなる掛け布団２を示し、この掛け布団２には掛け布団カバー３が装着されている。
【００２０】
前記掛け布団カバー３は矩形シート状の布地からなるカバー本体４を有する。このカバー本体４の長手方向の一端部には袋状の収容部６が形成されている。この収容部６一端側の面、つまり前記カバー本体４の長手方向の他端を向いた端面は開放した開放部５となっている。
【００２１】
前記収容部６は、たとえば前記カバー本体４の長手方向の一端部側を所定寸法幅広く裁断しておき、その部分を前記カバー本体４の上面側に折り返し、その折り返した部分が袋状となるよう幅方向の両端を、前記カバー本体４の一端部の幅方向両端に縫合して形成される。
【００２２】
前記収容部６の他端は閉塞された閉塞部７となっていて、この閉塞部７の幅方向両端の角部には図３に示すように開口部８が形成されている。
【００２３】
前記開口部８は、前記掛け布団２に前記掛け布団カバー３を装着するために、前記収容部６に前記掛け布団２の長手方向の一端部を挿入するとき、前記開口部８の外側から前記掛け布団２の長手方向の一端部側の角部２ａ（図３に示す）を引張って位置決めするために利用される。それによって、前記掛け布団２の長手方向の一端部を、前記収容部６に迅速かつ確実に収容することができる。
【００２４】
なお、上述した例では、前記収容部６は前記カバー本体４の一端部側を長めにしておき、その部分を折り返して形成する例を挙げて説明したが、矩形シート状の前記カバー本体４とは別に、前記収容部６と同じ形状となる袋形状に縫製された布地を用意しておく。
【００２５】
そして、袋状に縫製された前記布地の下面に取付け手段としてのホックを設けるとともに、前記カバー本体４の一端部の上面にも前記ホックと係脱するホックを設け、これらホックを連結して前記カバー本体４の一端部の上面に前記収容部６を着脱可能に設けるようにしてもよい。  
【００２６】
なお、取付け手段としては前記ホックに代わりボタンとボタン穴、或いはテープ状の面状ファスナーなどを用いるようにしてもよい。
【００２７】
図１や図２（ａ）に示すように、前記カバー本体４は長さ寸法が前記掛け布団２よりも長く設定されていて、前記掛け布団カバー３４を前記掛け布団２に装着したとき、その他端部は前記掛け布団２の長手方向の他端部から突出する。
【００２８】
前記カバー本体４の前記掛け布団２から突出した他端部は、図１に示すように前記敷布団１の端部下面側に織り込まれる。つまり、前記掛け布団２の長手方向の他端部は前記敷布団１の端部下面側に織り込まれる折り込み部１１となっている。
【００２９】
前記カバー本体４の前記折り込み部１１が前記敷布団１の端部下面側に織り込まれることで、前記カバー本体４が前記敷布団１上でずれ動き難いよう保持される。
【００３０】
前記掛け布団カバー３には、前記収容部６が設けられた長手方向の一端部に滑り止め部としての第１の滑り止め部１３が設けられ、前記掛け布団２の他端部の下面に接触する他端部に滑り止め部としての第２の滑り止め部１４が設けられている。
【００３１】
前記第１の滑り止め部１３と前記第２の滑り止め部１４は摩擦抵抗の大きな防滑繊維によって形成された帯状テープ１５からなる。前記第１の滑り止め部１３は、前記帯状テープ１５を前記収容部６の前記開口部８側の内面と、その内面に対向する前記カバー本体４の長手方向一端部の上面とに、前記カバー本体４の幅方向全長にわたって縫合や接着などの取付け手段によって設けられる。
【００３２】
前記第２の滑り止め部１４の前記帯状テープ１５は、前記カバー本体４の他端部の上面に幅方向全長にわたって縫合や接着などの取付け手段によって設けられている。  
【００３３】
前記収容部６に前記掛け布団２の長手方向の一端部を挿入すると、その一端部の上下面、つまり外周面がほぼ全体にわたって前記第１の滑り止め部１３を形成する前記帯状テープ１５に接触する。それによって、前記掛け布団２の長手方向の一端部は前記収容部６に対してずれ動き難くい状態、つまり前記収容部６から抜け難い状態で保持される。
【００３４】
前記第２の滑り止め部１４は、前記掛け布団カバー３が前記掛け布団２に装着されると、前記掛け布団２の長手方向の他端部下面が幅方向全長にわたって接触する。それによって、前記第２の滑り止め部１４は前記掛け布団２の長手方向の他端部が前記掛け布団カバー３に対して幅方向にずれ動くのを阻止することになる。
【００３５】
前記第１の滑り止め部１３と前記第２の滑り止め部１４を形成する前記帯状テープ１５には、前記掛け布団２に対する摩擦抵抗を増大させるために防滑繊維が用いられた布地が使用されている。図５は前記帯状テープ１５を構成する前記布地の一部の拡大図であって、前記布地は前記防滑繊維として摩擦抵抗の大きなポリウレタン繊維１６が用いられている。
【００３６】
つまり、前記布地は、前記ポリウレタン繊維１６と、比較的強度が高いポリエステル繊維１７とを、前記ポリウレタン繊維１６が前記ポリエステル繊維１７よりも前記布地に占める面積が大きくなるよう編んで構成されている。
【００３７】
たとえば、前記ポリウレタン繊維１６の屈曲度合を前記ポリエステル繊維１７の屈曲度合よりも大きくし、前記布地の表面積に占める前記ポリエステル繊維１７の面積を大きくすることで、前記布地の摩擦抵抗を増大させている。
【００３８】
前記ポリウレタン繊維１６と前記ポリエステル繊維１７によって前記布地９を編む場合、その布地に伸縮性がほとんどない状態と、伸縮性を有する状態とに編む編み方があるが、この実施の形態では伸縮性がほとんどない状態で編んで前記布地としている。
【００３９】
なお、前記第１の滑り止め部１３と前記第２の滑り止め部１４は、防滑繊維を前記帯状テープ１５に編んで形成したが、前記カバー本体４を形成する布地や前記収容部６を形成する布地に前記防滑繊維を編み込んで前記第１の滑り止め部１３と前記第２の滑り止め部１４を前記カバー本体４や前記収容部６と一体形成するようにしてもよい。
【００４０】
図４に示すように、前記掛け布団２と、前記カバー本体４との長手方向の他端部には、これらの他端部を連結する連結手段２１が設けられている。この実施の形態では、前記連結手段２１は前記掛け布団２の端部の幅方向両端部の下面に設けられた一対の第１のホック２２と、前記カバー本体４の端部の幅方向の両端部の上面に設けられた前記第１のホック２２と着脱可能に連結される一対の第２のホック２３によって構成されている。
【００４１】
前記カバー本体４を前記掛布団２に装着した後、前記第１のホック２２と第２のホック２３を連結すれば、前記カバー本体４が前記掛け布団２に対してより一層、確実に保持されることになる。
【００４２】
なお、前記掛け布団２と前記カバー本体４とを連結する前記連結手段２１を設けなくとも、前記第１の滑り止め部１３と前記第２の滑り止め部１４によって前記掛け布団２に対して前記カバー本体４がずれるのを防止することができる。
【００４３】
このように構成された前記掛け布団カバー３によれば、前記掛け布団２の長手方向の一端部が挿入保持される前記収容部６には、その一端部の外周面のほぼ全長に接触する前記第１の滑り止め部１３が設けられている。
【００４４】
さらに、前記掛け布団カバー３の他端部には前記掛け布団２の他端部の下面が幅方向全長にわたって接触する前記第２の滑り止め部１４が設けられている。
【００４５】
そのため、前記掛け布団２に前記掛け布団カバー３を装着すると、前記掛け布団カバー３は前記第１の滑り止め部１３と前記第２の滑り止め部１４によって前記掛け布団２に対して滑りにくい状態になるから、使用中に前記掛け布団カバー３が前記掛け布団２に対して大きくずれ動くのを防止することができる。
【００４６】
前記掛け布団２に前記掛け布団カバー３を装着する場合、前記掛け布団２の長手方向の一端部を前記収容部６に挿入し、他端部側を前記掛け布団カバー３の上面に載置するだけでよい。
【００４７】
そのため、前記掛け布団カバー３を前記掛け布団２に対して容易に、しかも迅速に装着することができるから、たとえばたくさんのベッド装置を有するホテルなどでのベッドメーキング作業の効率を大幅に向上させることが可能となる。
【００４８】
前記収容部６の前記閉塞部７側の幅方向の両端部には前記開口部８が形成されている。そのため、前記掛け布団２の長手方向の一端部を前記収容部６に収容するとき、前記掛け布団２の長手方向の一端部の幅方向の両端角部を前記収容部６の外側から前記開口部８を介して引っ張ることができる。  
【００４９】
それによって、前記掛け布団２の長手方向の一端部を前記収容部６に簡単かつ確実に位置決めして収容保持することができる。
【００５０】
前記第２の滑り止め部１４が前記掛け布団２の長手方向の他端部下面に接触していることで、前記掛け布団カバー３の長手方向の他端部が前記掛け布団２に対してずれ動くのが阻止される。
【００５１】
しかも、前記掛け布団カバー３と前記掛け布団２との長手方向の他端部は前記第１のホック２２と前記第２のホック２３とで構成された連結手段２１によって連結されているから、そのことによっても前記掛け布団カバー３の長手方向の他端部が前記掛け布団２に対してずれ動くのが阻止される。
【００５２】
前記掛け布団カバー３の長手方向の他端部に形成された前記折り込み部１１が前記敷布団１の下面側に織り込まれる。そのため、そのことによっても前記掛け布団カバー３の長手方向の他端部が前記掛け布団２に対してずれ動くのが阻止される。
【００５３】
図６はこの発明の第２の実施形態を示す掛け布団カバー３Ａの変形例である。この実施の形態の掛け布団カバー３Ａは、そのカバー本体４の長手方向の一端部と他端部とに、それぞれ前記掛け布団２の長さ寸法とほぼ同じ間隔で離間して第１の実施の形態と同様の構成の一対の収容部６が設けられている。  
【００５４】
そして、前記掛け布団カバー３Ａには、前記掛け布団２の長手方向の一端部を一方の前記収容部６に収容し、長手方向の他端部を他方の前記収容部６に収容して前記掛け布団カバー３Ａに装着される。
【００５５】
なお、一対の前記収容部６の内面には第１の実施の形態と同様、帯状テープ１５からなる前記第１の滑り止め部１３が設けられる。この第２の実施の形態では前記カバー本体４に前記第２の滑り止め部１４は設けられていないが、前記カバー本体４の長手方向の中途部に前記第２の滑り止め部１４を設けるようにしてもよい。
【００５６】
このような構成によれば、前記掛け布団２は長手方向の一端部と他端部とがそれぞれ前記収容部６に収容されて前記第１の滑り止め部１３との接触抵抗によって保持されている。そのため、前記掛け布団カバー３は一対の前記収容部６によって前記掛け布団２に対してより一層、ずれ動き難い状態で装着されることになる。
【００５７】
なお、上述した第１の実施の形態で、前記掛け布団カバー３に滑り止め部として前記第１の滑り止め部１３と前記第２の滑り止め部１４を設ける例を挙げて説明したが、滑り止め部は前記第１の滑り止め部１３と前記第２の滑り止め部１４のうちの少なくともどちらか一方だけを設けるようにした構成であっても、前記掛け布団カバー３が前記掛け布団２に対してずれ動くのを阻止することが可能である。
【００５８】
たとえば、前記掛け布団２の長手方向の一端部は前記収容部６に収容保持されるから、前記第１の滑り止め部１３をなくし、前記掛け布団カバー３の長手方向の他端部だけに、前記掛け布団２の長手方向の他端部の動きを阻止する前記第２の滑り止め部１４を設けるようにしてもよい。また、前記第２の滑り止め部１４をなくし、前記掛け布団２の一端部を前記収容部６と、この前記収容部６に設けた前記第１の滑り止め部１３とで保持するだけにしてもよい。
【００５９】
また、前記掛け布団２の長手方向の他端部には複数の前記第２の滑り止め部１４を所定間隔で設けるようにしてもよい。そうすることによって、前記前記掛け布団２の長手方向の他端部を複数の前記第２の滑り止め部１４によってより一層、動きにくい状態で保持することができる。
【００６０】
また、前記第１のホック２２と第２のホック２３からなる前記連結手段２１によって前記掛け布団２と前記掛け布団カバー３を連結したが、前記連結手段２１を設けなくとも、前記掛け布団２に対して前記掛け布団カバー３がずれ動くのを阻止することができる。
【符号の説明】
【００６１】
１…敷布団、２…掛け布団、３…掛け布団カバー、４…カバー本体、６…収容部、８…開口部、１１…折り込み部、１３…第１の滑り止め部（滑り止め部）、１４…第２の滑り止め部（滑り止め部）、２１…連結手段。
【図１】
2020025635.tif 000003
【図２】
2020025635.tif 000004
【図３】
2020025635.tif 000005
【図４】
2020025635.tif 000006
【図５】
2020025635.tif 000007
【図６】
2020025635.tif 000008